(57)【要約】【課題】各部材の構造が簡素で、各部材の製造が容易であり、部材同士の組立が容易で量産性が高く、平板状ケーブルを個々に接続することができ、接続作業の作業性が高くなるようにする。【解決手段】平板状ケーブルを挿入する一対のケーブル挿入開口を備えるハウジングと、前記ケーブル挿入開口に装填される端子と、前記平板状ケーブルを挿入可能な第１位置と挿入された平板状ケーブルの導電線及び端子を電気的に接続させる第２位置との間を姿勢変化可能な一対のアクチュエータとを有する中継コネクタであって、前記一対のケーブル挿入開口は同一方向に向けて開口し、前記端子は一対のケーブル挿入開口に共通し、前記一対のアクチュエータは互いに独立して姿勢変化可能である。【選択図】図１
2008066245.tif 000002
【特許請求の範囲】
【請求項１】
（ａ）平板状ケーブル（５１）を挿入する一対のケーブル挿入開口（３３）を備えるハウジング（３１）と、
（ｂ）前記ケーブル挿入開口（３３）に装填される端子（４１）と、
（ｃ）前記平板状ケーブル（５１）を挿入可能な第１位置と挿入された平板状ケーブル（５１）の導電線及び端子（４１）を電気的に接続させる第２位置との間を姿勢変化可能な一対のアクチュエータ（１１）とを有する中継コネクタ（１０）であって、
（ｄ）前記一対のケーブル挿入開口（３３）は同一方向に向けて開口し、
（ｅ）前記端子（４１）は一対のケーブル挿入開口（３３）に共通し、
（ｆ）前記一対のアクチュエータ（１１）は互いに独立して姿勢変化可能であることを特徴とする中継コネクタ（１０）。
【請求項２】
（ａ）前記端子（４１）は、前記ケーブル挿入開口（３３）内において平板状ケーブル（５１）の一面側及び他面側に配設される第１ビーム（４３）及び第２ビーム（４４）を備え、
（ｂ）前記第１ビーム（４３）及び第２ビーム（４４）は互いに向合って突出する突部（４３ａ、４４ａ）を備える請求項１に記載の中継コネクタ（１０）。
【請求項３】
前記端子（４１）は、前記一対のケーブル挿入開口（３３）の間に位置する直線を対称軸とする線対称の形状を備える請求項１に記載の中継コネクタ（１０）。
【請求項４】
前記端子（４１）は前記対称軸に沿って延在し、前記端子（４１）をハウジング（３１）に固定する取付部（４７）を備える請求項３に記載の中継コネクタ（１０）。
【請求項５】
前記端子（４１）はそのすべての部分が前記ハウジング（３１）の外表面の内側に位置する請求項１に記載の中継コネクタ（１０）。
【発明の詳細な説明】
【技術分野】
【０００１】
本発明は、中継コネクタに関するものである。
【背景技術】
【０００２】
従来、フレキシブル回路基板（ＦＰＣ：Ｆｌｅｘｉｂｌｅ  Ｐｒｉｎｔｅｄ  Ｃｉｒｃｕｉｔ）、フレキシブルフラットケーブル（ＦＦＣ：Ｆｌｅｘｉｂｌｅ  Ｆｌａｔ  Ｃａｂｌｅ）等と称される可撓（とう）性を備える２枚の平板状ケーブルを接続するためのコネクタが提案されている（例えば、特許文献１参照。）。
【０００３】
図８は従来のコネクタを示す斜視図である。
【０００４】
図に示されるように、コネクタは、合成樹脂等の絶縁性材料から成るハウジング３０１と、金属等の導電性材料から成り、ハウジング３０１に保持される複数の端子３０２とを有する。該端子３０２は、ハウジング３０１の両側（図における左手前側及び右奥側）から中心に向けて形成された端子取付孔（あな）内に圧入されることによって固定される。また、前記端子３０２は、ハウジング３０１の外側から中心に向けて延在する片持ち梁（はり）状の図示されない接触部を備え、該接触部の上側に平板状ケーブルが各々挿入されるようになっている。
【０００５】
また、前記ハウジング３０１には、ロックレバー３０３及び３０４が回動可能に取付けられており、回動軸を中心に９０度回転する。なお、図に示される状態は、ロックレバー３０３及び３０４がハウジング３０１の天板３０５と平行なロック位置にある状態を示している。
【０００６】
そして、平板状ケーブルを接続する際には、ロックレバー３０３及び３０４を９０度回転させて起立させ、ハウジング３０１の両側から平板状ケーブルをスリット内に挿入する。続いて、平板状ケーブルの挿入が完了すると、ロックレバー３０３及び３０４を９０度回転させて天板３０５と平行なロック位置にする。これにより、端子３０２の接触部に平板状ケーブルの導電線が接触し、ハウジング３０１の両側から挿入された２枚の平板状ケーブルは、端子３０２を介して、該端子３０２がはんだ付された図示されない回路基板の導電トレースに接続される。
【特許文献１】特開平１０−１８９１８５号公報
【発明の開示】
【発明が解決しようとする課題】
【０００７】
しかしながら、前記従来のコネクタは、ほぼ左右対称の形状を備えるハウジング３０１に両側から端子３０２を取付け、左右から平板状ケーブルを挿入するようになっているので、ハウジング３０１の形状が複雑になり、かつ、大型化してしまう。そのため、ハウジング３０１を成形するための金型の構造が複雑になり、製造コストが高く、量産性が低くなってしまう。また、２枚の平板状ケーブル同士を相互に接続するためには、回路基板の導電トレースを介して両側から端子３０２同士を接続する必要があるので、作業性が低くなってしまう。
【０００８】
本発明は、前記従来のコネクタの問題点を解決して、同一方向に向けて開口する一対のケーブル挿入開口を備えるハウジングと、一対のアクチュエータと、一対のケーブル挿入開口に共通に装填（そうてん）される端子とを有し、各アクチュエータを独立して作動させることができるようにして、各部材の構造が簡素で、各部材の製造が容易であり、部材同士の組立が容易で量産性が高く、平板状ケーブルを個々に接続することができ、接続作業の作業性が高い中継コネクタを提供することを目的とする。
【課題を解決するための手段】
【０００９】
そのために、本発明の中継コネクタにおいては、平板状ケーブルを挿入する一対のケーブル挿入開口を備えるハウジングと、前記ケーブル挿入開口に装填される端子と、前記平板状ケーブルを挿入可能な第１位置と挿入された平板状ケーブルの導電線及び端子を電気的に接続させる第２位置との間を姿勢変化可能な一対のアクチュエータとを有する中継コネクタであって、前記一対のケーブル挿入開口は同一方向に向けて開口し、前記端子は一対のケーブル挿入開口に共通し、前記一対のアクチュエータは互いに独立して姿勢変化可能である。
【００１０】
本発明の他の中継コネクタにおいては、さらに、前記端子は、前記ケーブル挿入開口内において平板状ケーブルの一面側及び他面側に配設される第１ビーム及び第２ビームを備え、前記第１ビーム及び第２ビームは互いに向合って突出する突部を備える。
【００１１】
本発明の更に他の中継コネクタにおいては、さらに、前記端子は、前記一対のケーブル挿入開口の間に位置する直線を対称軸とする線対称の形状を備える。
【００１２】
本発明の更に他の中継コネクタにおいては、さらに、前記端子は前記対称軸に沿って延在し、前記端子をハウジングに固定する取付部を備える。
【００１３】
本発明の更に他の中継コネクタにおいては、さらに、前記端子はそのすべての部分が前記ハウジングの外表面の内側に位置する。
【発明の効果】
【００１４】
本発明によれば、中継コネクタは、同一方向に向けて開口する一対のケーブル挿入開口を備えるハウジングと、一対のアクチュエータと、一対のケーブル挿入開口に共通に装填される端子とを有し、各アクチュエータを独立して作動させることができる。これにより、各部材の構造が簡素で、各部材の製造が容易であり、部材同士の組立が容易で量産性が高く、平板状ケーブルを個々に接続することができ、接続作業の作業性を高くすることができる。
【発明を実施するための最良の形態】
【００１５】
以下、本発明の実施の形態について図面を参照しながら詳細に説明する。
【００１６】
図１は本発明の実施の形態におけるコネクタの一部切断斜視図、図２は本発明の実施の形態におけるコネクタの斜視図、図３は本発明の実施の形態におけるコネクタの断面図でありアクチュエータが開位置にある状態を示す図である。
【００１７】
図において、１０は本実施の形態における中継コネクタとしてのコネクタであり、平板状ケーブル５１同士を電気的に接続するために使用される。該平板状ケーブル５１は、例えば、ＦＰＣ、ＦＦＣ等と称される平板状の可撓性ケーブルであるが、導電線を備える平板状のケーブルであれば、いかなる種類のものであってもよい。なお、本実施の形態において、コネクタ１０の各部の構成及び動作を説明するために使用される上、下、左、右、前、後等の方向を示す表現は、絶対的なものでなく相対的なものであり、コネクタ１０が図に示される姿勢である場合に適切であるが、コネクタ１０の姿勢が変化した場合には姿勢の変化に応じて変更して解釈されるべきものである。
【００１８】
ここで、前記コネクタ１０は、同一方向（図３における左方向）に向けて開口する一対のケーブル挿入開口３３を備えるハウジング３１と、一対のアクチュエータ１１と、一対のケーブル挿入開口３３に共通に装填される端子４１とを有する。前記ハウジング３１は、合成樹脂等の絶縁性材料によって一体的に形成され、コネクタ本体として機能する。そして、ハウジング３１は、上下対称の構造を備えるものであり、その断面形状は、図３において、横方向に延在する中心線を対称軸とする線対称の形状となっている。
【００１９】
また、前記アクチュエータ１１は、合成樹脂等の絶縁性材料によって一体的に形成され、ケーブル固定用可動部材として機能する。そして、各アクチュエータ１１は、ハウジング３１の上下に姿勢変化可能に取付けられる。すなわち、各アクチュエータ１１は、姿勢変化して、第１位置としての開位置及び第２位置としての閉位置になるようにハウジング３１に配設される。また、前記端子４１は、金属等の導電性材料によって一体的に形成され、好ましくは、金属板を打抜くことによって形成され、複数用意される。各端子４１は、上下対称の構造を備えるものであり、その断面形状は、図３において、横方向に延在する中心線を対称軸とする線対称の形状となっていて、上下のケーブル挿入開口３３に装填される。換言すると、一対のケーブル挿入開口３３の間に位置する直線を対称軸とする線対称の形状を備えている。
【００２０】
そして、ハウジング３１は、図３において、横方向に延在する厚板状の中央部３２、該中央部３２の上方及び下方に配設された横方向に延在する厚板状の天板部３５、並びに、前記中央部３２と上下の天板部３５との間に形成され、前方（図３における左方）から平板状ケーブル５１の端部を挿入するための開口部であるケーブル挿入開口３３を有する。なお、上下の天板部３５の図３における横方向の寸法は、中央部３２よりも短く設定されている。そして、該中央部３２と上下の天板部３５とは、両側に配設された側壁３６に一体的に接続されることによって、相互に結合されている。
【００２１】
また、前記ケーブル挿入開口３３には端子４１が装填される端子第１受入溝３４ａ及び端子第２受入溝３４ｂが複数形成されている。前記端子第１受入溝３４ａ及び端子第２受入溝３４ｂは、各々、中央部３２の天板部３５側の面、及び、天板部３５の中央部３２側の面に形成され、互いに対向する位置にある。なお、前記端子第１受入溝３４ａ及び端子第２受入溝３４ｂを統合的に説明する場合には、端子受入溝３４として説明する。そして、該端子受入溝３４は、例えば、ピッチ約０．５〔ｍｍ〕で２５本程度形成され、各端子受入溝３４には端子４１が１つずつ装填されるようになっている。なお、前記端子受入溝３４のピッチ及び数は適宜変更することができる。さらに、必ずしもすべての端子受入溝３４に端子４１が装填される必要はなく、平板状ケーブル５１が備える導電線の配列に対応させて、端子４１を適宜省略することができる。
【００２２】
さらに、前記中央部３２には、ケーブル挿入開口３３と同一方向に向けて開口するスリット状の中央開口３２ａが形成され、該中央開口３２ａの奥部（図３において右側部）には、端子４１の取付部としての取付用脚部４７が嵌（かん）入される端子固定孔３２ｂが形成されている。該端子固定孔３２ｂは端子受入溝３４と同一のピッチで同一の数だけ形成され、各端子固定孔３２ｂと各端子受入溝３４とは対応する位置にある。
【００２３】
そして、前記アクチュエータ１１は、略方形の厚板状の部材であり、オペレータが手指等によって操作する本体部１５、及び、該本体部１５から膨出し、オペレータの手指等が引掛かりやすい操作部１６を有する。また、アクチュエータ１１は、操作部１６と反対側の端部に、前記端子４１の可動ビーム４４の作動レバー４４ｂを収容するための収容孔１２が複数形成されている。さらに、該収容孔１２内には、前記可動ビーム４４の作動レバー４４ｂと係合する軸部１７が形成されている。前記アクチュエータ１１は、ハウジング３１の上下の後方側端縁に沿うようにして取付けられ、閉位置になったときは天板部３５とほぼ平行になり、開位置になったときは天板部３５に対してほぼ直角になり、操作部１６が上下の天板部３５よりも上下に突出する。
【００２４】
また、前記端子４１は、前述のように、上下対称であり、上下両方に本体部４２を各々備える。そして、両方の本体部４２は、各々、両方の端子第１受入溝３４ａ内に収容されるとともに、連結部４８によって互いに連結され、一体となっている。さらに、前記本体部４２からはハウジング３１の前方に向けて第１ビームとしての固定ビーム４３が延在する。また、該固定ビーム４３に連結ビーム４５を介して接続され、固定ビーム４３とほぼ平行に延在する第２ビームとしての可動ビーム４４が、固定ビーム４３に対向して配設されている。前記固定ビーム４３、可動ビーム４４及び連結ビーム４５は、概略Ｈ字状の形状となり、ケーブル挿入開口３３内に装填される。この場合、固定ビーム４３は端子第１受入溝３４ａ内に収容され、可動ビーム４４は端子第２受入溝３４ｂ内に収容される。そして、可動ビーム４４と固定ビーム４３との間に、前方から平板状ケーブル５１が挿入される。
【００２５】
さらに、前記連結部４８からは、ハウジング３１の前方に向けて、端子４１の対称軸に沿って、取付用脚部４７が延出する。該取付用脚部４７がハウジング３１の後側から端子固定孔３２ｂに押込まれて嵌入されることによって、端子４１はハウジング３１に固定される。なお、前記取付用脚部４７の側面には突出部が形成され、該突出部が端子固定孔３２ｂの内壁に喰（くい）込むことによって、取付用脚部４７とハウジング３１との結合状態が強化されている。
【００２６】
ここで、固定ビーム４３は、最先端から前方に向けて突出する先端突部４３ｃ、先端近傍であって該先端突部４３ｃより後方に位置し、天板部３５の方向に向けて突出する突部としてのケーブル支持部４３ａ、及び、後端に位置し、本体部４２に接続された軸受部４３ｂを備える。そして、先端突部４３ｃ及び本体部４２のほぼ直線状の内側端部が端子第１受入溝３４ａの床面に当接することによって、固定ビーム４３が固定される。
【００２７】
また、可動ビーム４４は、平板状ケーブル５１の導電線と電気的に接続するコンタクト片として機能するものであり、その先端近傍には中央部３２の方向に向けて突出する突部としてのコンタクト部４４ａが形成されている。さらに、前記可動ビーム４４は、連結ビーム４５との接続部より後方に延在し、アクチュエータ１１の収容孔１２内に進入して軸部１７の上方への移動を規制する作動レバー４４ｂを備える。前記軸部１７は、楕（だ）円形又は長方形の断面形状を備え、軸受部４３ｂと作動レバー４４ｂとの間に位置し、回転することによってカムとして機能し、作動レバー４４ｂを天板部３５の方向に向けて押出すようになっている。そして、作動レバー４４ｂが天板部３５の方向に向けて押出されると、主として、可動ビーム４４と連結ビーム４５との接続部の近傍部分が弾性的に変形し、可動ビーム４４全体が該可動ビーム４４と連結ビーム４５との接続部の近傍部分を中心として回動し、可動ビーム４４の先端が中央部３２の方向に向けて移動し、コンタクト部４４ａが平板状ケーブル５１の導電線に押付けられる。
【００２８】
なお、図３に示されるように、アクチュエータ１１が開位置にあるときは、軸部１７が水平に近い角度になっているので、作動レバー４４ｂは天板部３５の方向に向けて押出されておらず、可動ビーム４４の先端が中央部３２の方向に向けて移動していない。そのため、可動ビーム４４の先端と固定ビーム４３の先端との間隔が十分に広いので、ケーブル挿入開口３３から挿入された平板状ケーブル５１の端部は、コンタクト部４４ａ及びケーブル支持部４３ａから接触圧を受けずに、又は、わずかの接触圧しか受けずに挿入されるので、実質的にＺＩＦ（Ｚｅｒｏ  Ｉｎｓｅｒｔｉｏｎ  Ｆｏｒｃｅ）構造が実現されている。また、端子４１はハウジング３１の外に突出する部分を有していない。すなわち、端子４１のすべての部分はハウジング３１の外表面の内側に位置する。
【００２９】
次に、前記平板状ケーブル５１をコネクタ１０に接続する動作について説明する。
【００３０】
図４は本発明の実施の形態におけるコネクタに平板状ケーブルを接続する動作を示す第１の図、図５は本発明の実施の形態におけるコネクタに平板状ケーブルを接続する動作を示す第２の図、図６は本発明の実施の形態におけるコネクタに平板状ケーブルを接続する動作を示す第３の図、図７は本発明の実施の形態におけるコネクタに平板状ケーブルを接続する動作を示す第４の図である。
【００３１】
ここで、平板状ケーブル５１は、電気的絶縁性を示す絶縁層上に導電性を備える箔（はく）状の導電線が複数本、例えば、２５本、所定のピッチ、例えば、約０．５〔ｍｍ〕で並列に配設されている。なお、前記導電線の上は他の絶縁層によって覆われている。そして、平板状ケーブル５１におけるコネクタ１０のケーブル挿入開口３３に挿入される端部では、前記導電線の上面が所定の長さ範囲に亘（わた）って露出している。図４〜７に示される例においては、平板状ケーブル５１の天板部３５に対向する面に前記導電線が露出しているものとする。また、前記端部の導電線が露出する面と反対側の面には補助板が貼（てん）付されている。該補助板は、ポリイミド等の比較的硬度の高い材料から成り、長さ方向の所定範囲に亘り、かつ、幅方向の全範囲に亘り貼付されている。
【００３２】
コネクタ１０に平板状ケーブル５１を接続する場合、まず、該平板状ケーブル５１の長さ方向の端部をハウジング３１のケーブル挿入開口３３に挿入する。この場合、図３に示されるように、アクチュエータ１１はあらかじめ開位置にされている。そして、オペレータは、一方の平板状ケーブル５１の長さ方向の端部をハウジング３１の上側のケーブル挿入開口３３に向けて移動させる。これにより、図４に示されるように、一方の平板状ケーブル５１の長さ方向の端部を上側のケーブル挿入開口３３に挿入させることができる。この場合、前記平板状ケーブル５１は、補助板が下を向き、導電線の露出した面が上を向くようにして移動させられる。そして、平板状ケーブル５１の先端は、上側のケーブル挿入開口３３に装填された端子４１の可動ビーム４４と固定ビーム４３との間に前方から挿入される。
【００３３】
続いて、オペレータが上側のアクチュエータ１１を手指等によって操作し、図４に示されるような開位置にあるアクチュエータ１１を図５に示されるような閉位置にある状態とする。この場合、アクチュエータ１１は、図において時計回り方向に姿勢変化させることによって閉位置にすることができる。
【００３４】
これにより、軸部１７が回転し、図５に示されるように、垂直に近い角度になって軸受部４３ｂと作動レバー４４ｂとの間隔を押広げ、該作動レバー４４ｂを天板部３５の方向に向けて押出す、すなわち、上方に押上げるので、可動ビーム４４の先端が中央部３２の方向に向けて移動し、すなわち、下方に移動し、コンタクト部４４ａが平板状ケーブル５１に押付けられる。そのため、該平板状ケーブル５１の天板部３５に対向する面、すなわち、上側の表面において露出している導電線がコンタクト部４４ａに当接して電気的接続部が形成され、前記導電線と端子４１とが電気的に接続される。なお、可動ビーム４４は、ばね性を有し、平板状ケーブル５１に押付けられることによって弾性的に変形するので、信号線とコンタクト部４４ａとの接続が良好に維持される。また、固定ビーム４３のケーブル支持部４３ａがコンタクト部４４ａと対向する位置にあるので、平板状ケーブル５１がケーブル支持部４３ａによって確実に支持され、信号線とコンタクト部４４ａとの接続が確実に維持される。
【００３５】
続いて、オペレータは、他方の平板状ケーブル５１の長さ方向の端部をハウジング３１の下側のケーブル挿入開口３３に向けて移動させる。これにより、図６に示されるように、他方の平板状ケーブル５１の長さ方向の端部を下側のケーブル挿入開口３３に挿入させることができる。この場合、前記平板状ケーブル５１は、補助板が上を向き、導電線の露出した面が下を向くようにして移動させられる。そして、平板状ケーブル５１の先端は、下側のケーブル挿入開口３３に装填された端子４１の可動ビーム４４と固定ビーム４３との間に前方から挿入される。
【００３６】
続いて、オペレータが下側のアクチュエータ１１を手指等によって操作し、図６に示されるような開位置にあるアクチュエータ１１を図７に示されるような閉位置にある状態とする。この場合、アクチュエータ１１は、図において反時計回り方向に姿勢変化させることによって閉位置にすることができる。
【００３７】
これにより、軸部１７が回転し、図７に示されるように、垂直に近い角度になって軸受部４３ｂと作動レバー４４ｂとの間隔を押広げ、該作動レバー４４ｂを天板部３５の方向に向けて押出す、すなわち、下方に押下げるので、可動ビーム４４の先端が中央部３２の方向に向けて移動し、すなわち、上方に移動し、コンタクト部４４ａが平板状ケーブル５１に押付けられる。そのため、該平板状ケーブル５１の天板部３５に対向する面、すなわち、下側の表面において露出している導電線がコンタクト部４４ａに当接して電気的接続部が形成され、前記導電線と端子４１とが電気的に接続される。なお、可動ビーム４４は、ばね性を有し、平板状ケーブル５１に押付けられることによって弾性的に変形するので、信号線とコンタクト部４４ａとの接続が良好に維持される。また、固定ビーム４３のケーブル支持部４３ａがコンタクト部４４ａと対向する位置にあるので、平板状ケーブル５１がケーブル支持部４３ａによって確実に支持され、信号線とコンタクト部４４ａとの接続が確実に維持される。
【００３８】
このようにして、コネクタ１０の同一方向に向けて開口する一対のケーブル挿入開口３３から平板状ケーブル５１が挿入されて接続されると、各平板状ケーブル５１の導電線と端子４１とが電気的に接続されるので、両方の平板状ケーブル５１の導電線が互いに電気的に接続される。
【００３９】
本実施の形態におけるコネクタ１０では、一対のアクチュエータ１１を各々独立して作動させる、すなわち、開位置から閉位置へ姿勢変化させることができる。そのため、一方の平板状ケーブル５１をコネクタ１０に接続した後に、他方の平板状ケーブル５１を同様にしてコネクタ１０に接続することができる。これにより、オペレータは、落着いて確実に平板状ケーブル５１を１本ずつコネクタ１０に接続することができ、接続作業の容易性、確実性及び迅速性が向上する。また、一方の平板状ケーブル５１と他方の平板状ケーブル５１を異なる時間帯に、異なる場所でコネクタ１０に接続することができるので、接続作業の自由度が高くなる。
【００４０】
なお、ここでは、最初に上側のケーブル挿入開口３３に平板状ケーブル５１を挿入し、次に、下側のケーブル挿入開口３３に平板状ケーブル５１を挿入する場合の動作について説明したが、最初に下側のケーブル挿入開口３３に平板状ケーブル５１を挿入し、次に、上側のケーブル挿入開口３３に平板状ケーブル５１を挿入することもできる。
【００４１】
また、平板状ケーブル５１を、導電線が露出している面が天板部３５に対向するような向きにして、ケーブル挿入開口３３に挿入する場合の動作について説明したが、平板状ケーブル５１を、導電線が露出している面が中央部３２に対向するような向きにして、ケーブル挿入開口３３に挿入することもできる。この場合には、導電線が固定ビーム４３のケーブル支持部４３ａに当接して電気的接続部が形成され、導電線と端子４１とが電気的に接続される。そして、平板状ケーブル５１が可動ビーム４４のコンタクト部４４ａによって確実に支持され、信号線とケーブル支持部４３ａとの接続が確実に維持される。
【００４２】
このように、本実施の形態において、コネクタ１０は、同一方向に向けて開口する一対のケーブル挿入開口３３を備えるハウジング３１と、一対のアクチュエータ１１と、一対のケーブル挿入開口３３に共通に装填される端子４１とを有し、各アクチュエータ１１を独立して作動させることができるようになっている。これにより、各部材の構造が簡素化することができ、各部材を容易に製造することができる。また、部材同士の組立が容易で量産性が高い。さらに、平板状ケーブル５１を個々に接続することができ、接続作業の作業性が高い。
【００４３】
また、端子４１は、ケーブル挿入開口３３内において平板状ケーブル５１の一面側及び他面側に配設される固体ビーム４３及び可動ビーム４４を備え、該固定ビーム４３及び可動ビーム４４は互いに向合って突出するケーブル支持部４３ａ及びコンタクト部４４ａを備える。そのため、平板状ケーブル５１の向きが上下どちらであっても端子４１に接続することができるので、接続作業の容易性、確実性及び迅速性が向上し、また、接続作業の自由度が高くなる。
【００４４】
さらに、端子４１は、一対のケーブル挿入開口３３の間に位置する直線を対称軸とする線対称の形状を備える。そのため、端子４１を回路基板等に接続しなくても、端子４１を介することによって、平板状ケーブル５１同士を互いに電気的に接続することができ、平板状ケーブル５１の接続を容易に行うことができる。
【００４５】
さらに、端子４１は対称軸に沿って延在し、端子４１をハウジング３１に固定する取付用脚部４７を備える。そのため、端子４１を容易に、かつ、確実にハウジング３１に固定することができる。
【００４６】
さらに、端子４１はそのすべての部分がハウジング３１の外表面の内側に位置する。そのため、コネクタ１０の取扱いが容易となり、接続作業の作業性を高くすることができる。
【００４７】
なお、本発明は前記実施の形態に限定されるものではなく、本発明の趣旨に基づいて種々変形させることが可能であり、それらを本発明の範囲から排除するものではない。
【図面の簡単な説明】
【００４８】
【図１】本発明の実施の形態におけるコネクタの一部切断斜視図である。
【図２】本発明の実施の形態におけるコネクタの斜視図である。
【図３】本発明の実施の形態におけるコネクタの断面図でありアクチュエータが開位置にある状態を示す図である。
【図４】本発明の実施の形態におけるコネクタに平板状ケーブルを接続する動作を示す第１の図である。
【図５】本発明の実施の形態におけるコネクタに平板状ケーブルを接続する動作を示す第２の図である。
【図６】本発明の実施の形態におけるコネクタに平板状ケーブルを接続する動作を示す第３の図である。
【図７】本発明の実施の形態におけるコネクタに平板状ケーブルを接続する動作を示す第４の図である。
【図８】従来のコネクタを示す斜視図である。
【符号の説明】
【００４９】
１０    コネクタ
１１    アクチュエータ
１２    収容孔
１５、４２    本体部
１６    操作部
１７    軸部
３１、３０１    ハウジング
３２    中央部
３２ａ    中央開口
３２ｂ    端子固定孔
３３    ケーブル挿入開口
３４ａ    端子第１受入溝
３４ｂ    端子第２受入溝
３５    天板部
３６    側壁
４１、３０２    端子
４３    固定ビーム
４３ａ    ケーブル支持部
４３ｂ    軸受部
４３ｃ    先端突部
４４    可動ビーム
４４ａ    コンタクト部
４４ｂ    作動レバー
４５    連結ビーム
４７    取付用脚部
４８    連結部
５１    平板状ケーブル
３０３、３０４    ロックレバー
３０５    天板
【図１】
2008066245.tif 000003
【図２】
2008066245.tif 000004
【図３】
2008066245.tif 000005
【図４】
2008066245.tif 000006
【図５】
2008066245.tif 000007
【図６】
2008066245.tif 000008
【図７】
2008066245.tif 000009
【図８】
2008066245.tif 000010